(57)【特許請求の範囲】
【請求項１】
複数の光送信器とともに使用することで周波数間隔Δｆの複数の所定の周波数の光信号を出力する波長多重通信用の光送信装置を構成するための、前記複数の所定の周波数のうちいずれか１つの周波数の光信号を出力する光送信器であって、
発振周波数が、前記周波数間隔Δｆの複数の周波数のうち、第１の波長可変域内のいずれか１つの所望の周波数に設定されて、光信号を出力する第１の波長可変光源と、
発振周波数が、前記周波数間隔Δｆの複数の周波数のうち、前記第１の波長可変域と異なる第２の波長可変域内のいずれか１つの所望の周波数に設定されて、光信号を出力する第２の波長可変光源と、
前記第１および第２の波長可変光源の温度または電流をそれぞれ調整することにより、前記第１および第２の波長可変光源の発振周波数を設定する設定手段と、
前記第１および第２の波長可変光源のいずれか一方を選択してバイアス電流を供給する切替手段と
を備え、前記設定手段により、前記切替手段によって選択された一方の波長可変光源の発振周波数は所望の周波数に設定されるとともに、選択されなかった他方の波長可変光源の発振周波数は、前記第１および第２の波長可変光源の発振周波数の差がΔｆの整数倍とならないように、設定されることを特徴とする光送信器。
【請求項２】
請求項１に記載の光送信器において、
前記設定手段により、前記他方の波長可変光源の発振周波数は、前記第１および第２の波長可変光源の発振周波数の差がΔｆ／２の奇数倍となるように、設定されることを特徴とする光送信器。
【請求項３】
請求項１または２に記載の光送信器であって、
前記第１および第２の波長可変光源は、温度制御により周波数を選択するＤＦＢ−ＬＤを備え、
前記設定手段は、前記第１および第２の波長可変光源の温度をそれぞれ調整することを特徴とする光送信器。
【請求項４】
請求項１または２に記載の光送信器であって、
前記第１および第２の波長可変光源は、電流制御により周波数を選択するＤＢＲ−ＬＤを備え、
前記設定手段は、前記第１および第２の波長可変光源の電流をそれぞれ調整することを特徴とする光送信器。
【請求項５】
複数の光送信器とともに使用することで周波数間隔Δｆの複数の所定の周波数の光信号を出力する波長多重通信用の光送信装置を構成するための、前記複数の所定の周波数のうちいずれか１つの周波数の光信号を出力する光送信器における光送信方法であって、
前記光送信器は、
発振周波数が、前記周波数間隔Δｆの複数の周波数のうち、第１の波長可変域内のいずれか１つの所望の周波数に設定されて、光信号を出力する第１の波長可変光源と、
発振周波数が、前記周波数間隔Δｆの複数の周波数のうち、前記第１の波長可変域と異なる第２の波長可変域内のいずれか１つの所望の周波数に設定されて、光信号を出力する第２の波長可変光源とを備え、
前記第１および第２の波長可変光源の温度または電流をそれぞれ調整することにより、前記第１および第２の波長可変光源の発振周波数を設定するステップと、
前記第１および第２の波長可変光源のいずれか一方を選択してバイアス電流を供給するステップとを備え、
前記発振周波数を設定するステップでは、前記バイアス電流を供給するステップで選択された一方の波長可変光源の発振周波数は所望の周波数に設定されるとともに、選択されなかった他方の波長可変光源の発振周波数は、前記第１および第２の波長可変光源の発振周波数の差がΔｆの整数倍とならないように、設定されることを特徴とする光送信方法。
【請求項６】
請求項５に記載の光送信方法において、
前記発振周波数を設定するステップでは、前記他方の波長可変光源の発振周波数が前記第１および第２の波長可変光源の発振周波数の差がΔｆ／２の奇数倍となるように設定されることを特徴とする光送信方法。
【発明の詳細な説明】
【技術分野】
【０００１】
本発明は、波長多重通信における光送信器および光送信方法に関し、より詳細には、出力波長を可変することができる光送信器および光送信方法に関する。
【背景技術】
【０００２】
波長多重（ＷＤＭ：Ｗａｖｅｌｅｎｇｔｈ  Ｄｉｖｉｓｉｏｎ  Ｍｕｌｔｉｐｌｅｘｉｎｇ）通信では、出力光の波長を可変することができる光送信器の適用が検討されている。図１に、複数の光送信器を用いた光送信装置を示す。光送信装置１０は、それぞれ波長を可変することができる２ｎ個の光送信器１００−１〜２ｎと、これら光送信器からの光信号を合波する光カプラ１４０とから構成されている。各光送信器１００は、周波数ｆ１，ｆ２，ｆ３，．．．，ｆ２ｎのいずれにも設定することができる波長可変光源を備え、その設定周波数で強度変調された光信号を出力する。これら光送信器１００−１〜２ｎは、それぞれ異なる周波数に設定され、２ｎ個の強度変調された光信号を出力する。これらの強度変調された光信号は、光カプラ１２０で合波され、２ｎ個の波長を有するＷＤＭ信号として伝送路に出力される。
【０００３】
このように、各光送信器の光源を波長可変とすることで、単一構成の光送信装置で自由な波長設定が可能となり、装置の単一品種化が可能となる。装置を単一品種化することで、波長の増設に際して装置の在庫の低減を図ることができる。しかしながら、波長可変光源は、単一波長の光源に比べ構造が複雑であり、低コスト化が課題となっている。例えば、半導体を利用した波長可変光源は、外部共振器を利用した波長可変光源よりも安価である。このような波長可変光源には、分布ブラッグ反射型レーザ（ＤＢＲ−ＬＤ：Ｄｉｓｔｒｉｂｕｔｅｄ  Ｂｒａｇｇ  Ｒｅｆｌｅｃｔｏｒ  Ｌａｓｅｒ−Ｄｉｏｄｅ）や分布帰還型レーザ（ＤＦＢ−ＬＤ：Ｄｉｔｒｉｂｕｔｅｄ  Ｆｅｅｄｂａｃｋ  Ｌａｓｅｒ−Ｄｉｏｄｅ）がある。
【０００４】
ＤＢＲ−ＬＤは、分布反射（ＤＢＲ）領域に注入された電流量に応じて屈折率が変化し、これによって出力波長を変化させることができる。屈折率変化により、ＤＢＲ−ＬＤは、１０ｎｍの範囲で波長を可変することができるが、広い可変波長範囲で使用すると、モードホップにより出力波長が変化する。そのため、ＷＤＭ光源として使用するためには、波長可変幅を３ｎｍ程度に制限する必要がある。
【０００５】
一方、ＤＦＢ−ＬＤは、温度制御により屈折率が変化し、これによって出力波長を変化させることができるが、ＤＦＢ−ＬＤの温度制御による波長可変幅も３ｎｍに限られている。
【０００６】
【非特許文献１】笠谷他、「高速波長切り替え型ＤＦＢアレイ波長選択光源」、２００３年電子情報通信学会エレクトロニクスソサイエティ大会、Ｃ−４−３、２７９頁
【発明の開示】
【発明が解決しようとする課題】
【０００７】
上述のように、光送信器の波長可変光源として、ＤＢＲ−ＬＤやＤＦＢ−ＬＤを用いた場合、波長可変幅は３ｎｍ程度に限られる。そのため、波長可変幅を拡大した光送信器が必要とされている。このような波長可変幅を拡大した光送信器の構成を図２に示す。光送信器２００は、２つチャンネルを有する電源２１０と、２つのＤＦＢ−ＬＤ２２１および２２２からなるＬＤアレイ２２０と、ＬＤアレイの温度を制御する温度設定器２３０と、２つのＤＦＢ−ＬＤからの出力光を合波する光カプラ２４０と、光カプラからの出力光をデータ信号で変調する変調器２５０とから構成されている。
【０００８】
２つのＤＦＢ−ＬＤ２２１および２２２は、単一の半導体チップ上にＬＤアレイ２２０として構成され、温度設定器２３０により、所定の温度に設定される。２チャンネル電源２１０は、外部からの切り替え信号により、ＤＦＢ−ＬＤ２２１および２２２のいずれか一方にのみバイアス電源を供給する。バイアス電源が供給された方のＤＦＢ−ＬＤは、温度設定器２３０により設定された周波数で発振し、連続光を出力する。このように、光送信器２００は、電源２１０の切り替えと、温度設定器２３０の温度設定により、広い波長帯域にわたって光信号を出力することができる。
【０００９】
これらＤＦＢ−ＬＤからの出力光は、光カプラ２４０を介して変調器２５０に送られ、データ信号により強度変調される。例えば、変調器として電界吸収型（ＥＡ：Ｅｌｅｃｔｒｏ  Ａｂｓｏｒｐｔｉｏｎ）変調器を用いれば、４０Ｇｂｐｓまでの高速変調が可能である。また、半導体増幅器（ＳＯＡ：Ｓｅｍｉｃｏｎｄｕｃｔｏｒ  Ｏｐｔｉｃａｌ  Ａｍｐｌｉｆｉｅｒ）変調器を用いれば、変調速度は１０Ｇｂｐｓ以下に限られるが、その増幅機能により、出力光を増幅して出力することができる。さらに、光カプラ２４０や変調器２５０も、ＤＦＢ−ＬＤ２２１および２２２と同一の半導体チップ上に集積することもできる。
【００１０】
本構成によれば、波長可変域の異なる２つのＤＦＢ−ＬＤを用いることにより、光送信器の波長可変幅を拡大することができる。図２では、２チャンネル電源２１０により、ＤＦＢ−ＬＤ２２１のみが駆動され、温度設定器２３０により、設定温度がＴｉに調整され、周波数ｆｉの信号が出力されている。ここで、ＤＦＢ−ＬＤ２２１および２２２の波長可変幅は、温度設定器２３０によって設定される温度Ｔ１，Ｔ２，Ｔ３，．．．，Ｔｉ，．．．，Ｔｎにわたって、それぞれ周波数ｆ１，ｆ２，ｆ３，．．．，ｆｉ，．．．，ｆｎおよび周波数ｆｎ＋１，ｆｎ＋２，ｆｎ＋３，．．．，ｆｎ＋ｉ，．．．，ｆ２ｎとし、周波数間隔Δｆはすべて等しいものとする。この場合、ある設定温度Ｔｉについて、以下の関係式が成り立つ。
ｆｎ＋ｉ−ｆｉ＝ｎΔｆ      （１）
【００１１】
したがって、図２において、設定温度がＴｉのとき、電源２１０によってＤＦＢ−ＬＤ２２１からＤＦＢ−ＬＤ２２２に切り替えられると、ＤＦＢ−ＬＤ２２２からは周波数ｆｎ＋ｉの光信号が出力されることになる。
【００１２】
しかしながら、本構成では、２チャンネル電源２１０の故障などにより、オフとなるべきＤＦＢ−ＬＤの出力が漏洩した場合、この漏洩光が他の光送信器の信号光に対して妨害となることがある。図３を参照しながらこの問題について説明する。図３（ａ）は、図２の構成を有する２ｎ個の光送信器から出力される光スペクトルを示しており、図３（ｂ）は、２ｎ個の光送信器からの出力を光カプラで合波した光スペクトルを示している。
【００１３】
図３（ａ）に示すように、各光送信器は、２チャンネル電源および温度設定器によって、波長可変域の異なる２つのＤＦＢ−ＬＤ＃１および＃２から、周波数間隔Δｆで周波数ｆ１，ｆ２，ｆ３，．．．，ｆｉ，．．．，ｆｎ＋ｉ，．．．，ｆ２ｎの信号光を出力する。この場合、光送信器＃ｉから周波数ｆｉの光信号を出力するためには、２チャンネル電源を介してＤＦＢ−ＬＤ＃１を選択し、温度設定器２３０を介してＬＤアレイの設定温度をＴｉに調整する。このとき（設定温度Ｔｉのとき）、選択されていないＤＦＢ−ＬＤ＃２の発振周波数はｆｎ＋ｉとなる。同様に、光送信器＃ｎ＋ｉから周波数ｆｎ＋ｉの光信号を出力するためには、２チャンネル電源を介してＤＦＢ−ＬＤ＃２を選択し、温度設定器２３０を介して設定温度をＴｉに調整する。このとき（設定温度Ｔｉのとき）、選択されていないＤＦＢ−ＬＤ＃１の発振周波数はｆｉとなる。
【００１４】
ここで、光送信器＃ｎ＋ｉの２チャンネル電源が故障し、光送信器＃ｎ＋ｉのＤＦＢ−ＬＤ＃１にバイアス電流が漏洩すると、光送信器＃ｎ＋ｉのＤＦＢ−ＬＤ＃１からの周波数ｆｉの漏洩光が出力される。この漏洩光は、光送信器＃ｉのＤＦＢ−ＬＤ＃１からの周波数ｆｉの信号光に対して妨害となる。つまり、これらの信号光と漏洩光は、光カプラで合波され、図３（ｂ）に示すように、２つの光が周波数領域において重なることになる。これにより、これら２つの光は、受信側の分波器で波長分波されることなく、光受信器で互いに干渉して強度雑音を引き起こし、信号対雑音比（ＳＮＲ）の劣化を招く。
【００１５】
本発明は、このような問題に鑑みてなされたもので、その目的とするところは、複数の波長可変光源を備えた光送信器からの漏洩出力によって他の光送信器の信号出力が妨害されるのを防ぐ光送信器および光送信方法を提供することにある。
【課題を解決するための手段】
【００１６】
本発明は、このような目的を達成するために、請求項１に記載の発明は、複数の光送信器とともに使用することで周波数間隔Δｆの複数の所定の周波数の光信号を出力する波長多重通信用の光送信装置を構成するための、前記複数の所定の周波数のうちいずれか１つの周波数の光信号を出力する光送信器であって、発振周波数が、前記周波数間隔Δｆの複数の周波数のうち、第１の波長可変域内のいずれか１つの所望の周波数に設定されて、光信号を出力する第１の波長可変光源と、発振周波数が、前記周波数間隔Δｆの複数の周波数のうち、前記第１の波長可変域と異なる第２の波長可変域内のいずれか１つの所望の周波数に設定されて、光信号を出力する第２の波長可変光源と、前記第１および第２の波長可変光源の温度または電流をそれぞれ調整することにより、前記第１および第２の波長可変光源の発振周波数を設定する設定手段と、前記第１および第２の波長可変光源のいずれか一方を選択してバイアス電流を供給する切替手段とを備え、前記設定手段により、前記切替手段によって選択された一方の波長可変光源の発振周波数は所望の周波数に設定されるとともに、選択されなかった他方の波長可変光源の発振周波数は、前記第１および第２の波長可変光源の発振周波数の差がΔｆの整数倍とならないように、設定されることを特徴とする。
【００１７】
また、請求項２に記載の発明は、請求項１に記載の光送信器において、前記設定手段により、前記他方の波長可変光源の発振周波数は、前記第１および第２の波長可変光源の発振周波数の差がΔｆ／２の奇数倍となるように、設定されることを特徴とする。
【００１８】
また、請求項３に記載の発明は、請求項１または２に記載の光送信器であって、前記第１および第２の波長可変光源は、温度制御により周波数を選択するＤＦＢ−ＬＤを備え前記設定手段は、前記第１および第２の波長可変光源の温度をそれぞれ調整することを特徴とする。
【００１９】
また、請求項４に記載の発明は、請求項１または２に記載の光送信器であって、前記第１および第２の波長可変光源は、電流制御により周波数を選択するＤＢＲ−ＬＤを備え前記設定手段は、前記第１および第２の波長可変光源の電流をそれぞれ調整することを特徴とする。
【００２１】
また、請求項５に記載の発明は、複数の光送信器とともに使用することで周波数間隔Δｆの複数の所定の周波数の光信号を出力する波長多重通信用の光送信装置を構成するための、前記複数の所定の周波数のうちいずれか１つの周波数の光信号を出力する光送信器における光送信方法であって、前記光送信器は、発振周波数が、前記周波数間隔Δｆの複数の周波数のうち、第１の波長可変域内のいずれか１つの所望の周波数に設定されて、光信号を出力する第１の波長可変光源と、発振周波数が、前記周波数間隔Δｆの複数の周波数のうち、前記第１の波長可変域と異なる第２の波長可変域内のいずれか１つの所望の周波数に設定されて、光信号を出力する第２の波長可変光源とを備え、前記第１および第２の波長可変光源の温度または電流をそれぞれ調整することにより、前記第１および第２の波長可変光源の発振周波数を設定するステップと、前記第１および第２の波長可変光源のいずれか一方を選択してバイアス電流を供給するステップとを備え、前記発振周波数を設定するステップでは、前記バイアス電流を供給するステップで選択された一方の波長可変光源の発振周波数は所望の周波数に設定されるとともに、選択されなかった他方の波長可変光源の発振周波数は、前記第１および第２の波長可変光源の発振周波数の差がΔｆの整数倍とならないように、設定されることを特徴とする。
【００２２】
また、請求項６に記載の発明は、請求項５に記載の光送信方法において、前記発振周波数を設定するステップでは、前記他方の波長可変光源の発振周波数が前記第１および第２の波長可変光源の発振周波数の差がΔｆ／２の奇数倍となるように設定されることを特徴とする。
【発明を実施するための最良の形態】
【００２３】
以下、図面を参照しながら本発明の実施例について詳細に説明する。
【実施例１】
【００２４】
図４に、本発明による光送信器の光スペクトルの一例を示す。図４（ａ）は、本発明による２ｎ個の光送信器から出力される光スペクトルを示し、図４（ｂ）は、本発明による２ｎ個の光送信器からの出力を光カプラで合波した光スペクトルを示している。本発明の第１の実施例による光送信器の構成は、図２と同様であるが、光送信器のＤＦＢ−ＬＤ＃１およびＤＦＢ−ＬＤ＃２の各設定温度に対する周波数配置が異なる。
【００２５】
本発明の第１の実施例では、光送信器＃１から＃ｎの周波数はそれぞれｆ１，ｆ２，ｆ３，．．．，ｆｉ，．．．，ｆｎであり、各周波数の間隔Δｆはすべて等しい。また、光送信器＃ｎ＋１から＃２ｎの周波数はそれぞれｆｎ＋１，ｆｎ＋２，ｆｎ＋３，．．．，ｆｎ＋ｉ，．．．，ｆ２ｎであり、各周波数の間隔Δｆはすべて等しい。しかし、光送信器＃ｉのＤＦＢ−ＬＤ＃１の周波数ｆｉと、光送信器＃ｎ＋ｉのＤＦＢ−ＬＤ＃２の周波数ｆｎ＋ｉとの間隔が、ｊを自然数として、以下のように設定される。
ｆｎ＋ｉ−ｆｉ＝ｎΔｆ＋（ｊ−３／２）Δｆ      （２）
【００２６】
この場合、図４（ａ）に示すように、各光送信器は、２チャンネル電源および温度設定器によって、ＤＦＢ−ＬＤ＃１から周波数間隔Δｆで周波数ｆ１，ｆ２，ｆ３，．．．，ｆｉ，．．．，ｆｎの信号光を出力し、ＤＦＢ−ＬＤ＃２から周波数間隔Δｆでｆｎ＋１，ｆｎ＋２，ｆｎ＋３，．．．，ｆｎ＋ｉ，．．．，ｆ２ｎの信号光を出力する。しかし、ＤＦＢ−ＬＤ＃１の周波数配置とＤＦＢ−ＬＤ＃２の周波数配置とは、周波数間隔Δｆの整数倍の関係ではなく、Δｆ／２のオフセットが設けられている。したがって、光送信器＃ｉから周波数ｆｉの光信号を出力するためには、２チャンネル電源を介してＤＦＢ−ＬＤ＃１を選択し、温度設定器を介して設定温度をＴｉに調整する。このとき（設定温度Ｔｉのとき）、選択されていないＤＦＢ−ＬＤ＃２の発振周波数はｆｎ＋ｉ−（ｊ−３／２）Δｆ（＝ｆｉ＋ｎΔｆ）となる。なお、図４では、ｊ＝２の場合を示している。同様に、光送信器＃ｎ＋ｉから周波数ｆｎ＋ｉの光信号を出力するためには、２チャンネル電源を介してＤＦＢ−ＬＤ＃２を選択し、温度設定器２３０を介して設定温度をＴｉ’に調整する。このとき（設定温度Ｔｉ’のとき）、選択されていないＤＦＢ−ＬＤ＃１の発振周波数はｆｉ＋（ｊ−３／２）Δｆ／２（＝ｆｎ＋ｉ−ｎΔｆ）となる。
【００２７】
ここで、設定温度Ｔｉのとき、光送信器＃ｎ＋ｉの２チャンネル電源が故障し、光送信器＃ｎ＋ｉのＤＦＢ−ＬＤ＃１にバイアス電流が漏洩すると、光送信器＃ｎ＋ｉのＤＦＢ−ＬＤ＃１からのｆｉ＋（ｊ−３／２）Δｆ／２の漏洩光が出力される。この漏洩光は、光送信器＃ｉのＤＦＢ−ＬＤ＃１からの周波数ｆｉの光信号に対して妨害とならない。つまり、これらの信号光と漏洩光は、光カプラで合波されても、図４（ｂ）に示すように、２つの光信号が周波数領域において重ならないことになる。これにより、信号光は受信側の分波器で透過される一方、漏洩光は受信側の分波器で減衰されることになり、光受信器においてこれらの光は干渉せず、ＳＮＲの劣化を防ぐことができる。また、受信側の分波器のチャンネル間のクロストークが大きく、漏洩光を十分に減衰することができない場合でも、漏洩光による干渉雑音成分は信号光の信号帯域外に生成されるため、電気的なローパスフィルタによって除去することができる。
【００２８】
本発明による光送信装置の出力周波数と、設定温度の関係を図５に示す。なお、図５は、式（２）においてｊ＝２の場合が示されている。図に示すように、設定温度がＴ１のとき、ＤＦＢ−ＬＤ＃１の出力周波数は、光受信器の分波器の透過周波数に一致しているが、ＤＦＢ−ＬＤ＃２の出力周波数は一致していない。次に、設定温度をＴ１’に上げると、ＤＦＢ−ＬＤ＃１の出力周波数は、光受信器の分波器の透過周波数に一致しなくなるが、ＤＦＢ−ＬＤ＃２の出力周波数は、一致するようになる。このように、本発明の第１の実施例では、電源によるＤＦＢ−ＬＤ＃１およびＤＦＢ−ＬＤ＃２の切り替えと同時に、温度設定器による設定温度を変更する必要がある。
【実施例２】
【００２９】
図６に、本発明の第２の実施例による光送信器の構成例を示す。図６では、図２と異なり、ＤＦＢ−ＬＤ＃１（６２１）およびＤＦＢ−ＬＤ＃２（６２２）が別々の半導体チップ６２０−１および６２０−２上に構成され、それぞれ別個の温度設定器６３０−１および６３０−２により制御されている。
【００３０】
本実施例によれば、ＤＦＢ−ＬＤ＃１およびＤＦＢ−ＬＤ＃２をそれぞれ独立に温度設定できるので、それぞれの周波数を任意に組み合わせることができる。例えば、実施例１の場合には、設定温度をＴｉとし、ＤＦＢ−ＬＤ＃１の出力周波数をｆｉとすると、ＤＦＢ−ＬＤ＃２の出力周波数は必然的にｆｎ＋ｉ−（ｊ−３／２）Δｆ／２（＝ｆｉ＋ｎΔｆ）となる。しかし、本実施例では、光送信器＃１，＃２，＃３，．．．，＃ｎをそれぞれ周波数ｆ１，ｆ２，ｆ３，．．．，ｆｎに設定し、光送信器＃ｎ＋１，＃ｎ＋２，＃ｎ＋３，．．．，＃２ｎをそれぞれ周波数ｆ２ｎ，ｆ２ｎ−１，ｆ２ｎ−２，．．．，ｆｎ＋１に設定することも可能である。
【００３１】
なお、本実施例においても電源によるＤＦＢ−ＬＤ＃１およびＤＦＢ−ＬＤ＃２の切り替えと同時に、２つの温度設定器による設定温度を変更する必要がある。
【００３２】
また、図７に示すように、ＤＦＢ−ＬＤ６２１および６２２の代わりに、ＤＢＲ−ＬＤ７２１および７２２を用いてもよい。この場合、ＤＢＲ−ＬＤ７２１および７２２は、別個の電源電流７３０−１および７３０−２によってそれぞれ波長設定される。
【実施例３】
【００３３】
図８に、本発明の第３の実施例による光送信器の構成例を示す。本実施例では、ＤＦＢ−ＬＤ＃１およびＤＦＢ−ＬＤ＃２の切り替えに、図２の２チャンネル電源２１０に代えて、切替器８１２が使われている。
【００３４】
切替器８１２は、分岐器と２つのスイッチから構成されている。データ信号が切替器８１２に入力されると、分岐器で分岐され、スイッチを介してＤＦＢ−ＬＤ２２１および２２２の一方に供給される。データ信号には、ＤＦＢ−ＬＤを発振させて駆動するためのバイアス電流が付加されている。したがって、切替器８１２で選択されたＤＦＢ−ＬＤは、このデータ信号により電流駆動（直接変調）され、温度設定器８３０で設定された周波数の強度変調信号を出力することになる。切替信号および温度設定器によるＤＦＢ−ＬＤ＃１およびＤＦＢ−ＬＤ＃２の切り替え、ならびにそれぞれの周波数設定は、実施例１の場合と同様である。
【００３５】
本実施例によれば、ＤＦＢ−ＬＤを直接変調することにより、変調器（図２の変調器２５０）を省略することができる。これにより、光送信器の小型化、低価格化が可能となる。
【００３６】
なお、図９に示すように、データ信号にＤＦＢ−ＬＤ９２１、９２２を発振させるためのバイアス電流を付加することなく、それぞれのＤＦＢ−ＬＤに２チャンネル電源９１０からバイアスを供給するようにしてもよい。この場合、切替信号により、切替器９１２と電源９１０を連動して動作させ、データ信号の供給されるＤＦＢ−ＬＤに電源が供給されるようにする。
【００３７】
さらに、図１０に示すように、２つのＤＦＢ−ＬＤ１０２１および１０２２を別々の半導体チップ上に構成し、それぞれ別個の温度設定器１０３０−１および１０３０−２により制御するようにしてもよい。
【００３８】
以上、本発明について、具体的にいくつかの実施例について説明したが、本発明の原理を適用できる多くの実施可能な形態に鑑みて、ここに記載した実施例は、単に例示に過ぎず、本発明の範囲を限定するものではない。ここに例示した実施例は、本発明の趣旨から逸脱することなくその構成と詳細を変更することができる。さらに、説明のための構成要素および手順は、本発明の趣旨から逸脱することなく変更、補足、またはその順序を変えてもよい。
【図面の簡単な説明】
【００３９】
【図１】複数の光送信器を用いた光送信装置の構成を示す模式図である。
【図２】波長可変幅を拡大した光送信器の構成を示す模式図である。
【図３】従来の光送信器の周波数配置を示す図であり、図３（ａ）は各光送信器の出力における光スペクトルを示し、図３（ｂ）は各光送信器の出力を光カプラにより合波した後の光スペクトルを受信側の分波器の透過特性と共に示している。
【図４】本発明の一実施例による光送信器の周波数配置を示す図であり、図４（ａ）は各光送信器の出力における光スペクトルを示し、図４（ｂ）は各光送信器の出力を光カプラにより合波した後の光スペクトルを受信側の分波器の透過特性と共に示している。
【図５】本発明の一実施例による光送信器の温度設定による周波数の調整を示す図である。
【図６】本発明の別の実施例による光送信器の構成を示す模式図である。
【図７】本発明のさらに別の実施例による光送信器の構成を示す模式図である。
【図８】本発明のさらに別の実施例による光送信器の構成を示す模式図である。
【図９】本発明のさらに別の実施例による光送信器の構成を示す模式図である。
【図１０】本発明のさらに別の実施例による光送信器の構成を示す模式図である。
【符号の説明】
【００４０】
１０  光送信装置
１００−１〜２ｎ  光送信器
１４０  光カプラ
２００  光送信器
２１０  ２つチャンネル電源
２２０  ＬＤアレイ
２２１  ＤＦＢ−ＬＤ＃１
２２２  ＤＦＢ−ＬＤ＃２
２３０  温度設定器
２４０  光カプラ
２５０  変調器
６００  光送信器
６１０  ２つチャンネル電源
６２０−１，６２０−２  ＬＤチップ
６２１  ＤＦＢ−ＬＤ＃１
６２２  ＤＦＢ−ＬＤ＃２
６３０−１，６３０−２  温度設定器
６４０  光カプラ
６５０  変調器
７００  光送信器
７１０  ２つチャンネル電源
７２０−１，７２０−２  ＬＤチップ
７２１  ＤＢＲ−ＬＤ＃１
７２２  ＤＢＲ−ＬＤ＃２
７３０−１，７３０−２  電源電流
７４０  光カプラ
７５０  変調器
８００  光送信器
８１２  切替器
８２０  ＬＤアレイ
８２１  ＤＦＢ−ＬＤ＃１
８２２  ＤＦＢ−ＬＤ＃２
８３０  温度設定器
９００  光送信器
９１０  ２つチャンネル電源
９１２  切替器
９２０  ＬＤアレイ
９２１  ＤＦＢ−ＬＤ＃１
９２２  ＤＦＢ−ＬＤ＃２
９３０  温度設定器
９４０  光カプラ
１０００  光送信器
１０１２  切替器
１０２０−１，１０２０−２  ＬＤチップ
１０２１  ＤＦＢ−ＬＤ＃１
１０２２  ＤＦＢ−ＬＤ＃２
１０３０−１，１０３０−２  温度設定器
１０４０  光カプラ
【図１】
0004771784.tif 000002
【図２】
0004771784.tif 000003
【図３】
0004771784.tif 000004
【図４】
0004771784.tif 000005
【図５】
0004771784.tif 000006
【図６】
0004771784.tif 000007
【図７】
0004771784.tif 000008
【図８】
0004771784.tif 000009
【図９】
0004771784.tif 000010
【図１０】
0004771784.tif 000011